(57)【要約】      （修正有）【課題】小型化が可能であり、しかも設置工事並びに保守管理が容易な筐体装置を提供する。【解決手段】筐体装置の密閉型筐体は、その底部に短尺の円筒体からなる筐体開口部が設けられている。蓋体３は、第一フィルター３２２を有し、密閉型筐体内で生じる結露水を外部に排出するための排水路３２、および第二フィルター３３３を有し、密閉型筐体内の気体と外気とを連通させるための通気路３３を含み、それを密閉型筐体の底部に設けられた円筒体からなる筐体開口部に差し込んでカプラ４により筐体開口部に着脱自在に結合される。【選択図】図２
2006093426.tif 000002
【特許請求の範囲】
【請求項１】
筐体、上記筐体の底部またはその近傍に設けられた筐体開口部、上記筐体内で生じる結露水を外部に排出するための排水路と上記筐体内の気体と外気とを連通させるための通気路とを有すると共に上記筐体開口部に着脱自在に取り付け可能な蓋体を備えたことを特徴する筐体装置。
【請求項２】
上記蓋体は、上記筐体開口部に螺着されたことを特徴とする請求項１記載の筐体装置。
【請求項３】
上記蓋体は、上記筐体開口部にカプラにより取り付けられたことを特徴とする請求項１記載の筐体装置。
【請求項４】
上記排水路は、上記筐体の内壁を伝って流下する上記結露水が流入する位置に設けられ、上記通気路は、そこに上記結露水が流入しないように、少なくともその上記筐体内での開口端が上記筐体の内壁から離れた位置となるように設けられたことを特徴とする請求項１〜請求項３のいずれか一項記載の筐体装置。
【請求項５】
上記排水路は、上記結露水の透過は許容するが、外部から上記筐体内への液体飛沫および大気中の塵埃の入り込みを防止する第一フィルターを有し、上記通気路は、大気の透過は許容するが外部から上記筐体内への液体飛沫および大気中の塵埃の入り込みを阻止する第二フィルターを有することを特徴とする請求項１〜請求項３のいずれか一項記載の筐体装置。
【請求項６】
上記蓋体は底壁を有し、上記底壁には、上記排水路から排出される上記結露水および／または上記連通のための大気の通過を許容するが、外部から上記蓋体内への液体の流入を困難にする小開口面積を有する一個または複数の小孔が設けられたことを特徴とする請求項１〜請求項３のいずれか一項記載の筐体装置。
【発明の詳細な説明】
【技術分野】
【０００１】
本発明は、筐体装置に関し、詳しくは各種の電気機器や電子機器を収容した筐体装置、レドーム付き空中線などのように、各種の場所に、特に建物の外壁や屋上、電柱、船舶のマスト、あるいはその他の屋外での設置用として好適な筐体装置に関するものである。
【背景技術】
【０００２】
上記した筐体装置の例として、道路等が冠水しても簡単に水が水抜き孔を通って筐体内に侵入することのない構造、および外部からの漏水や湿った空気の侵入をできるだけ抑えて結露の発生がし難い構造とするために、筐体内の漏水や結露で生じた水を抜く水抜き孔に対応させて、筐体の外部から内側に向かって流れ込む可能性のある水からの浮力を受けていないときには水抜き孔を開放させ、浮力を受けて浮き上ると水抜き孔を塞いで筐体内への水の流入を封止するフロートを設けた屋外設置用の電子機器筐体装置は、後記する特許文献１から従来公知である。
【０００３】
この種の筐体装置は、筐体内に生じた水を外部に排出する排水路と筐体内の空気を外気と連通させるための通気路とが必要であり、且つ、当該筐体内の電気機器や電子機器の性能に悪影響を及ぼす可能性のある大気中の塵埃や液体飛沫がかかる通路を通じて筐体装置内に入り込まないようにする必要がある。このために上記各路には、フィルターが設置される。
【０００４】
最近における電気電子機器の小型化、軽量化の要求は、エレクトロニクスの急速な進歩によって、他業界と比較にならない程に高まっている。これまで電子回路などの小型化は、それを構成する諸部品自体の小型化、それら部品の高密度実装化などにより達成されてきたが、筐体装置は、特に小型化の要求が強いにも拘らず、下記の理由にて阻害されてきた。
【０００５】
即ち、通気路に設置されたフィルターが水に濡れると、当該フィルターが保持すべき本来の濾過機能が大きく低下して筐体内の空気と外気との連通性が低下する問題がある。また通気路を排水路の近傍に設置すると、排水路から排出されるべき水が通気路内に侵入してそこに設置されたフィルターを濡らす危険性が高まることから、従来から通気路は排水路から離れた位置に設置されてきた。前記の特許文献１でも、従来技術に倣ってその通気路（換気手段２０、特許文献１の図６参照）は、排水路（水抜手段１０、特許文献１の図６参照）からかなり距離をおいた個所に設置されている。その場合には当然のことながら、当該通気路は排水路とは独立して別個所に設置する必要があり、しかもそのフィルターが雨水などで濡れないように防雨手段（例えば防雨カバー３３、特許文献１の図９参照）を施す必要があって、従来の筐体装置の小型化は、かかる理由から阻害されてきた。さらに特許文献１の通気路に見られるように、従来の通気路は固定して取り付けられる型のものであるので、固定取り付け自体の工事が手間を要するものであり、それに含まれているフィルターが常に良好な濾過機能を維持するための保守管理、並びにフィルターの交換に手間を要する問題もある。
【特許文献１】特開２００３−２２９６８０（要約、図６、図９）
【発明の開示】
【発明が解決しようとする課題】
【０００６】
本発明は、斯界における如上の実情に鑑みて、小型化が可能であり、しかも設置工事並びに保守管理が容易な筐体装置を開発することを課題とする。
【課題を解決するための手段】
【０００７】
本発明に係る筐体装置は、筐体、上記筐体の底部またはその近傍に設けられた筐体開口部、上記筐体内で生じる結露水を外部に排出するための排水路と上記筐体内の気体と外気とを連通させるための通気路とを有すると共に上記筐体開口部に着脱自在に取り付け可能な蓋体を備えたことを特徴するものである。
【発明の効果】
【０００８】
本発明において採用される蓋体は、排水路と通気路とを有するものであって、それを筐体の底部またはその近傍に設けられた上記筐体開口部に取り付けることにより上記両路が一括して形成されるので、上記両路の形成に要する工事コストおよび工事の所要時間が軽減する効果がある。また上記両路は、上記蓋体に設けられているので、換言すると互いに近接しているので、上記両路を個別に且つ互いに離れた位置に設置する場合と比較して筐体の内部に占める占有空間容積が小さくなり、結果的に本発明の筐体装置を従来技術と比較して小型化、軽量化が可能であって、従来の筐体装置では設置が困難であった狭い場所や高所での設置も容易となる効果がある。さらに、上記蓋体は、上記筐体開口部に着脱自在に取り付け可能であるので取り付け工事が容易であり、しかも取り外しも容易であるので、本発明の筐体装置が狭い場所や高所に設置されている場合でも上記両路の定期的は保守点検並びに上記両路の各フィルターの取り替え作業も簡単且つ確実に行うことができる効果がある。
【発明を実施するための最良の形態】
【０００９】
以下において、説明の順位の早い図に示されたものと同じものが後続の図に示された場合には、後続の図においては同じものには同じ符号を付して説明を省略することがある。
【００１０】
実施の形態１．
図１〜図３は、本発明の筐体装置における実施の形態１を説明するものであって、図１は前記筐体（但しその内部に設けられた機器の記載は省略）の概略断面図、図２は前記した蓋体の一例の断面図、図３は図１の筐体の前記筐体開口部に図２の蓋体を施してなる筐体装置の概略断面図である。
【００１１】
図１〜図３において、筐体装置は、その主要部として密閉型の筐体１、筐体開口部２、蓋体３、およびカプラ４を含んでいる。密閉型筐体１は、その底部１１に短尺の円筒体２１からなる筐体開口部２が設けられている。蓋体３は、蓋体本体３１、密閉型筐体１内で生じる結露水を外部に排出するための排水路３２、および密閉型筐体１内の気体と外気とを連通させるための通気路３３を含む。蓋体本体３１は、円筒体３１１から形成されている。排水路３２には、その出口３２１の近傍に前記第一フィルター３２２が設けられており、通気路３３には、その出口３３２の近傍に前記第二フィルター３３３が設けられている。第一フィルター３２２および第二フィルター３３３は、リング状のフィルター取り付け部材３５により図示する各位置において個別に交換可能の状態で固定されている。即ち、フィルター取り付け部材３５は、図示するように上下の２部材からなり、その下部材は円筒体３１１および通気路３３を構成する後記円筒体に固定されており、その上部材は当該下部材上に設置された各フィルター３２２、３３３の上に着脱可能の状態で置かれて各フィルターを安定的に固定している。
【００１２】
通気路３３は、蓋体本体３１を形成する円筒体３１１の中央に位置し、円筒体３１１の中心軸と同軸状で上下に延在する円筒体にて形成されていて、その上端の開口端３３１は、密閉型筐体１の底部１１のレベルを少し超えた位置に達しており（図３参照）、その下端は、円筒体３１１の下端と略同じレベルに達している。排水路３２は、円筒体３１１の内壁と通気路３３の外壁とで囲まれた円筒状であり、第一フィルター３２２はドーナツ状を呈している。排水路３２の下端は、通気路３３のそれと同レベルにある。
【００１３】
カプラ４は、円筒体２１の外壁に形成されたリング状溝４１、円筒体３１１の上部内壁に形成された断面コ字状のリング状溝４２、リング状溝４２内に嵌め込まれた多数の（図１では２個だけ示す）鋼製ボールなどの金属製ボール４３、および円筒体２１と円筒体３１１の壁間に気密に設けられたゴム製の断面Ｏ形のシールリング４４を含む。しかして円筒体２１と蓋体３とは、蓋体３の円筒体３１１を円筒体２１に差し込んで各ボール４３を円筒体２１のリング状溝４１に嵌め込むことにより水密状態で結合される。なおシールリング４４は、上記の差し込みの前に予め円筒体３１１の内壁に設けられたリング状溝に嵌め込まれており、当該差し込みの後には、円筒体２１と円筒体３１１との間に挟着されて水密機能をなす。
【００１４】
カプラ４によれば、蓋体３を密閉型筐体１の外側からごく短時間で且つ簡単に取り付け、取り外しが可能であり、しかもそれらの作業の際に特別な工具を必要としない利点がある。したがって、第一フィルター３２２および第二フィルター３３３の必要な交換作業を含めた筐体装置の保守管理が行き届き易い優れた効果がある。
【００１５】
密閉型筐体１と蓋体３とがかく結合されてなる筐体装置は、図３から明らかなように、密閉型筐体１の天井１２や側壁１３において生じた結露水は、側壁１２を伝って流下して底部１１に至り、次いで筐体開口部２の円筒体２１の内壁を伝って排水路３２に流入し、第一フィルター３２２を通過し、出口３２１から外部に排出される。一方、通気路３３の開口端３３１は、密閉型筐体１の側壁１２や底部１１から離れて個所に位置するので、上記結露水がそこに流入することはなく、しかして第二フィルター３３３は、結露水によって濡れることはない。なお、密閉型筐体１の天井１２において生じた結露水が開口端３３１内に直接落下することがある場合には、通気路３３を形成する上記円筒体の上端部を下向きに曲げて開口端３３１が下向きとなるようにすることが好ましい。
【００１６】
密閉型筐体１内には、大気中に含まれている塵埃、あるいは汚れた水や海水などの液体飛沫と接触すると、悪影響を受け易い高性能の電気機器、電子機器、通信機器、光学機器などが内蔵されている場合が多いので、第一フィルター３２２および第二フィルター３３３は、上記の異物が排水路３２や通気路３３を通じて密閉型筐体１内に入り込まないようにするために設けられるが、本発明において使用される第一フィルター３２２および第二フィルター３３３としては、本発明の筐体装置の設置環境によって要求される濾過性能を有するものを適宜選択使用するとよい。
【００１７】
上記筐体装置が、地上での高所に設置されていて大気中の塵埃対策が専らである場合は、上記両フィルター３２２、３３３としては塵埃を濾別可能なもの、例えばフィルター粗さが１〜２０μｍ程度、好ましく１〜５μｍ程度のものが好ましい。一方、地上での低所に設置されて、降雨時に路面からの跳ね返り雨滴飛沫を受ける場合、あるいは船舶のマストに設置されて海水飛沫を受ける場合では、第一フィルター３２２としては、日本無機（株）社の結露水用フィルター（商品名；ＳＬＴ−ＬＣ−４２Ｈ−９５、フィルター粗さ：１〜５μｍ）が例示され、第二フィルター３３３としては、クレハテック（株）社の通気用フィルター（商品名；Ｎｏ２４４、フィルター粗さ：約５μｍ）が例示される。この場合では、第一フィルター３２２および／または第二フィルター３３３は、例えばスポンジのような、上記結露水や空気の透過は許容するが、外部から密閉型筐体１内へのかかる液体飛沫や大気中の塵埃の入り込みを防止するものが好ましい。
【００１８】
なお本発明において用いられるカプラとしては、図１〜図３に示されたカプラ４を含めて、いま被結合部材をＡ、Ｂとすると、一般的には当該Ａ、Ｂのいずれか一方を他方に挿着することにより、当該両部材間で嵌合による結合がなされると同時に必要な気密性あるいは水密性が達成されるものであればよい。
【００１９】
実施の形態２．
図４は、本発明の筐体装置における実施の形態２の概略断面図である。図４において、筐体装置では、小型アンテナ１ａ、一次放射器１ｂ、およびそれらを搭載した回転台１ｃを含む電波送受信機を収容したものが例示され、また蓋体３としてその蓋体本体３１が円筒体３１１とそれに一体結合された截頭円錐形の底壁３１２とから形成されたものが用いられており、その底壁３１２には、その截頭部、換言する最底部には小開口面積を有する一個または複数の小孔３４が設けられている。実施の形態２は、前記実施の形態１とは蓋体本体３１が底壁３１２を有する点において異なり、その他の構成は同じである。
【００２０】
実施の形態１の蓋体３では、第一フィルター３２２および第二フィルター３３３は大気中に露出しているのに対して、実施の形態２における蓋体３は底壁３１２を有するので、上記両フィルターは小孔３４を介して大気と接触する。したがって外部の前記した液体飛沫や大気中の塵埃などの大部分は、底壁３１２により蓋体３内への入り込みが遮断され、かくして底壁３１２は、上記両フィルターを通過して密閉型筐体１内へそれら異物の入り込みを効果的に防止する顕著な効果があり、またその故に第一フィルター３２２および第二フィルター３３３として、多少濾過性能は劣るが安価なものの採用を可能とする効果もある。
【００２１】
なお、なお小孔３４の開口面積は、排水路３２から排出される結露水および／または上記連通のための大気の通過を許容するが、外部から蓋体３内への液体の流入を困難にする程度の面積であればよく、例えば１〜１０ｍｍ程度、好ましくは例えば２〜５ｍｍ程度である。小孔３４は、少なくとも１個設けられると、それが結露水の排水口として機能し、排水中でも時折の排水を遮断する空気泡の通過により上記の連通の作用もなす。しかし２個以上とすると上記両作用が一層円滑に達成される。
【００２２】
実施の形態３．
図５は、本発明の筐体装置における実施の形態３の概略断面図である。図５において、蓋体３と密閉型筐体１とは、筐体開口部２の円筒体２１の外壁に設けられた雄ネジ２２と密閉型筐体１の円筒体３１１の内壁に設けられた雌ネジ３１３との螺着により結合されており、実施の形態３は前記実施の形態２とは螺着の点において異なり、その他の構成は同じである。
【００２３】
上記螺着によれば、前記カプラ４による場合と同程度に蓋体３を密閉型筐体１の外側からごく短時間で且つ簡単に取り付け、取り外しが可能であり、しかもそれらの作業の際に特別な工具を必要としない利点がある。したがって、第一フィルター３２２および第二フィルター３３３の必要な交換作業を含めた筐体装置の保守管理が行き届き易い優れた効果がある。
【産業上の利用可能性】
【００２４】
本発明の筐体装置は、前記したように、従来技術と比較して小型化、軽量化が可能であって、従来の筐体装置では設置が困難であった狭い場所や高所での設置も容易となる効果がある。さらにフィルターの取り替え作業も簡単且つ確実に行うことができるので、従来の筐体装置では設置が困難であった狭い場所や高所での設置、高性能の長期持続が要求される用途などに利用可能性が高い。
【図面の簡単な説明】
【００２５】
【図１】実施の形態１における筐体装置に用いられる密閉型筐体の概略断面図である。
【図２】実施の形態１における筐体装置に用いられる蓋体の一例の断面図である。
【図３】本発明の筐体装置における実施の形態１の概略断面図である。
【図４】本発明の筐体装置における実施の形態２の概略断面図である。
【図５】本発明の筐体装置における実施の形態３の概略断面図である。
【符号の説明】
【００２６】
１  密閉型筐体、１１  底部、１２  天井、１３  側壁、２  筐体開口部、
２１  円筒体、２２  雄ネジ、３  蓋体、３１  蓋体本体、３１１  円筒体、
３１２  底壁、３１３  雌ネジ、３２  排水路、３２１  出口、
３２２  第一フィルター、３３  通気路、３３１  開口端、３３２  出口、
３３３  第二フィルター、３４  小孔、３５  フィルター取り付け部材、４  カプラ、
４１  リング状溝、４２  リング状溝、４３  金属製ボール、４４  シールリング。
【図１】
2006093426.tif 000003
【図２】
2006093426.tif 000004
【図３】
2006093426.tif 000005
【図４】
2006093426.tif 000006
【図５】
2006093426.tif 000007